(57)【要約】【課題】紙幣の正損レベルの設定に係る操作負担を軽減すること。【解決手段】紙幣処理装置１０は、正損レベルにおける閾値の組み合せをパターンとして仕向け先に関連付けて記憶し、表示操作部１１が仕向け先の名称に関連付けられたパターンの選択を受け付けると（Ｓ１）、識別部１０５の閾値を変更する（Ｓ２）。このため、その後に投入された紙幣は、変更後の閾値を適用して分類され、仕向け先の要求レベルに合致した結束紙幣が投出されることになる。また、選択中の閾値の組合せは、設定に係る表示領域に表示されているため、操作者はその時点の設定を適宜確認することができる。【選択図】図１
2018169671.tif 000002
【特許請求の範囲】
【請求項１】
複数の仕向け先に対応する複数の紙幣識別に係る情報を記憶する記憶部と、
仕向け先の指定を受け付ける受付部と、
前記受付部により受け付けた仕向け先に対応する紙幣識別に係る情報に基づいて、識別対象となる紙幣を識別する識別部と
を備えたことを特徴とする紙幣処理装置。
【請求項２】
所定の操作画面を表示する表示操作部と、
前記表示操作部に複数の仕向け先の選択枠を表示制御する表示制御部と
をさらに備え、
前記受付部は、前記表示操作部に表示された複数の仕向け先の選択枠の選択操作を仕向け先の指定として受け付ける
ことを特徴とする請求項１に記載の紙幣処理装置。
【請求項３】
前記記憶部に記憶された紙幣識別に係る情報は、金種毎の紙幣の汚損の状態を示す汚損識別レベルであることを特徴とする請求項１又は２に記載の紙幣処理装置。
【請求項４】
前記表示制御部は、
前記受付部により仕向け先の指定を受け付けた場合に、該仕向け先に対応する前記記憶部に記憶された紙幣識別に係る情報を前記表示操作部に表示制御する
ことを特徴とする請求項２に記載の紙幣処理装置。
【請求項５】
操作者の権限を認証する認証処理部をさらに備え、
前記認証処理部により所定の管理者権限を有すると認証された操作者については、複数の仕向け先に対応する複数の紙幣識別に係る情報の設定を更新可能とし、所定の管理者権限を有さないと認証された操作者については、複数の仕向け先に対応する複数の紙幣識別に係る情報の設定を更新不能とする
ことを特徴とする請求項１乃至４のいずれか一つに記載の紙幣処理装置。
【請求項６】
複数の紙幣収納部と、
前記識別部による紙幣の識別結果及び該紙幣の金種に基づいて、該紙幣を前記複数の紙幣収納部に分類して収納するよう制御する制御部と、
前記複数の紙幣収納部に収納された紙幣を所定枚数単位で結束する結束部と
をさらに備えたことを特徴とする請求項１乃至５のいずれか一つに記載の紙幣処理装置。
【請求項７】
前記結束部により結束された結束紙幣を排出する結束紙幣排出口の周囲に設けられ、該結束紙幣を収納する複数の結束紙幣収納箱と、
前記結束部により結束された結束紙幣が前記結束紙幣排出口から排出される場合に、該結束紙幣排出口に設けられた少なくとも２つの突出部の状態を制御することで、該結束紙幣を前記複数の結束紙幣収納箱に収納させる結束紙幣収納制御部と
をさらに備えたことを特徴とする請求項６に記載の紙幣処理装置。
【請求項８】
複数の仕向け先に対応する複数の紙幣識別に係る情報を記憶する記憶部を有する紙幣処理装置における紙幣処理方法であって、
仕向け先の指定を受け付ける受付工程と、
前記受付工程により受け付けた仕向け先に対応する紙幣識別に係る情報に基づいて、識別対象となる紙幣を識別する識別工程と
を含んだことを特徴とする紙幣処理方法。
【発明の詳細な説明】
【技術分野】
【０００１】
本発明は、紙幣の正損レベルの設定に係る操作負担を軽減することが可能な紙幣処理装置及び紙幣処理方法に関する。
【背景技術】
【０００２】
従来、銀行等の金融機関及びスーパーマーケット等の流通店舗では、警送会社によって貨幣が回収され、回収された貨幣は現金センタに運搬される。そして、現金センタに運搬された貨幣のうちの紙幣は、現金センタ内に配設された紙幣処理装置にて金種識別及び正損識別される。また、これらの紙幣は、金種毎、汚損レベル毎に集積部に集積され、所定枚数単位（例えば、１００枚）で結束され紙幣束とされる。
【０００３】
例えば、特許文献１には、操作者の操作によって閾値（正損レベル）を設定して記憶部に記憶しておき、判別対象となる紙葉類の正損レベルと記憶部に記憶した閾値（正損レベル）とを比較して、該紙葉類が再流通可能な紙幣であるか否かを判定するよう構成した紙葉類処理装置が開示されている。
【先行技術文献】
【特許文献】
【０００４】
【特許文献１】特開２０１３-６９０３９号公報
【発明の概要】
【発明が解決しようとする課題】
【０００５】
しかしながら、上記特許文献１によれば、金融機関又は流通店舗等の紙幣の仕向け先が望む紙幣束を作成する都度、操作者が閾値（正損レベル）を再設定しなければならず、人的労力が過大になるという問題がある。
【０００６】
例えば、金融機関では、流通店舗と比較して正損レベルの高い紙幣束（汚損度合いの少ない紙幣束）を望む傾向にあるため、金融機関を仕向け先とする紙幣束を作成する場合には、閾値となる正損レベルを上げなければならない。一方、流通店舗の場合には、金融機関ほどの正損レベルが要求されないため、流通店舗を仕向け先とする紙幣束を作成する場合には、閾値となる正損レベルを下げる必要がある。
【０００７】
これらのことから、操作員は、紙幣束の仕向け先に応じて紙幣処理装置の正損レベルを変更しなければならず、かかる操作を行うための操作負担が過大となる。加えて、操作員の操作ミスによって仕向け先が望まない紙幣束を作成してしまうおそれもある。かかる課題は、警送会社の現金センタに配設された紙幣処理装置だけではなく、金融機関及び流通店舗に配設される各種紙幣処理装置についても同様に生ずる課題である。
【０００８】
本発明は、上記従来技術の課題を解決するためになされたものであって、紙幣の正損レベルの設定に係る操作負担を軽減することが可能な紙幣処理装置及び紙幣処理方法を提供することを目的とする。
【課題を解決するための手段】
【０００９】
上述した課題を解決し、目的を達成するため、本発明は、複数の仕向け先に対応する複数の紙幣識別に係る情報を記憶する記憶部と、仕向け先の指定を受け付ける受付部と、前記受付部により受け付けた仕向け先に対応する紙幣識別に係る情報に基づいて、識別対象となる紙幣を識別する識別部とを備えたことを特徴とする。
【００１０】
また、本発明は、上記発明において、所定の操作画面を表示する表示操作部と、前記表示操作部に複数の仕向け先の選択枠を表示制御する表示制御部とをさらに備え、前記受付部は、前記表示操作部に表示された複数の仕向け先の選択枠の選択操作を仕向け先の指定として受け付けることを特徴とする。
【００１１】
また、本発明は、上記発明において、前記記憶部に記憶された紙幣識別に係る情報は、金種毎の紙幣の汚損の状態を示す汚損識別レベルであることを特徴とする。
【００１２】
また、本発明は、上記発明において、前記表示制御部は、前記受付部により仕向け先の指定を受け付けた場合に、該仕向け先に対応する前記記憶部に記憶された紙幣識別に係る情報を前記表示操作部に表示制御することを特徴とする。
【００１３】
また、本発明は、上記発明において、操作者の権限を認証する認証処理部をさらに備え、前記認証処理部により所定の管理者権限を有すると認証された操作者については、複数の仕向け先に対応する複数の紙幣識別に係る情報の設定を更新可能とし、所定の管理者権限を有さないと認証された操作者については、複数の仕向け先に対応する複数の紙幣識別に係る情報の設定を更新不能とすることを特徴とする。
【００１４】
また、本発明は、上記発明において、複数の紙幣収納部と、前記識別部による紙幣の識別結果及び該紙幣の金種に基づいて、該紙幣を前記複数の紙幣収納部に分類して収納するよう制御する制御部と、前記複数の紙幣収納部に収納された紙幣を所定枚数単位で結束する結束部とをさらに備えたことを特徴とする。
【００１５】
また、本発明は、上記発明において、前記結束部により結束された結束紙幣を排出する結束紙幣排出口の周囲に設けられ、該結束紙幣を収納する複数の結束紙幣収納箱と、前記結束部により結束された結束紙幣が前記結束紙幣排出口から排出される場合に、該結束紙幣排出口に設けられた少なくとも２つの突出部の状態を制御することで、該結束紙幣を前記複数の結束紙幣収納箱に収納させる結束紙幣収納制御部とをさらに備えたことを特徴とする。
【００１６】
また、本発明は、複数の仕向け先に対応する複数の紙幣識別に係る情報を記憶する記憶部を有する紙幣処理装置における紙幣処理方法であって、仕向け先の指定を受け付ける受付工程と、前記受付工程により受け付けた仕向け先に対応する紙幣識別に係る情報に基づいて、識別対象となる紙幣を識別する識別工程とを含んだことを特徴とする。
【発明の効果】
【００１７】
本発明によれば、紙幣の正損レベルの設定に係る操作負担を軽減することができる。
【図面の簡単な説明】
【００１８】
【図１】図１は、本実施例に係る紙幣処理装置の概念についての説明図である。
【図２】図２は、紙幣処理装置の外観構成を示す外観構成図である。
【図３】図３は、紙幣処理装置の内部の構成を示す内部構成図である。
【図４】図４は、紙幣処理装置の機能構成を示す機能ブロック図である。
【図５】図５は、図４に示した記憶部に記憶されるデータの一例を説明するための説明図である。
【図６】図６は、処理中における表示操作部の表示画面の具体例を説明する説明図である。
【図７】図７は、登録時における表示操作部の表示画面の具体例を説明する説明図である。
【図８】図８は、結束紙幣の投出時における振分けについての説明図である。
【図９】図９は、結束紙幣の振分けの詳細についての説明図である。
【図１０】図１０は、結束紙幣投出口の詳細についての説明図である。
【図１１】図１１は、紙幣処理装置による登録時の処理手順を示すフローチャートである。
【図１２】図１２は、紙幣処理装置による紙幣の処理に係る処理手順を示すフローチャートである。
【発明を実施するための形態】
【００１９】
以下に、添付図面を参照して、本発明に係る紙幣処理装置及び紙幣処理方法の好適な実施例を詳細に説明する。
【実施例】
【００２０】
＜紙幣処理装置の概念＞
まず、本実施例に係る紙幣処理装置の概念について説明する。図１は、本実施例に係る紙幣処理装置の概念についての説明図である。図１に示した紙幣処理装置１０は、紙幣を金種や正損レベルに応じて分類し、再流通可能な正損レベルの紙幣を金種毎の結束紙幣（紙幣束）として投出する装置である。
【００２１】
具体的には、紙幣処理装置１０は、現金センタに設置され、警送会社によって銀行等の金融機関やスーパーマーケット等の流通店舗から回収された紙幣の投入を受け付ける。紙幣処理装置１０は、識別部１０５によって投入された紙幣の金種と正損レベルを識別し、設定された正損レベル以上の紙幣を金種別に集積し、同一金種の紙幣が所定枚数（例えば、１００枚）集積されるごとに帯封による結束を行って結束紙幣として投出する。
【００２２】
ここで、正損レベルとは、流通済みの紙幣がどの程度本来の状態を保っているかを示す指標である。何度も流通した紙幣には、汚れ、破れ、摩耗などが生じ、最終的には再流通ができない状態となる。紙幣処理装置１０は、この汚れ、破れ、摩耗などを正損レベルとして評価することで、紙幣を再度流通させるか否かを判定するのである。
【００２３】
正損レベルには、紙幣の汚れの度合いを評価する汚損レベル、紙幣の欠落や破れの度合いを評価する欠損レベル、紙幣の摩耗や異物の付着有無の状態を示す厚損レベルなどが含まれる。紙幣処理装置１０は、汚損レベル、欠損レベル及び厚損レベルについて閾値を保持し、汚損レベル、欠損レベル及び厚損レベルのいずれか閾値に満たない紙幣は損券として金種混合で排出する。そして、汚損レベル、欠損レベル及び厚損レベルの全てが閾値以上である紙幣を再流通可能な正券として金種別に集積し、結束紙幣を形成する。
【００２４】
紙幣処理装置１０が形成した結束紙幣は、金融機関や流通店舗などの仕向け先に配送されて使用されるが、仕向け先によって正損レベルへの要求には差がある。例えば、金融機関では、流通店舗と比較して正損レベルの高い結束紙幣（汚損度合いの少ない結束紙幣）を望む傾向にある。一方、流通店舗の場合には、金融機関ほどの正損レベルが要求されない。
【００２５】
そこで、紙幣処理装置１０は、正損レベルにおける閾値の組み合せをパターンとして仕向け先に関連付けて記憶し、仕向け先の選択によって簡易に閾値の設定を変更可能としている。
【００２６】
図１では、表示操作部１１に処理状況に係る表示領域と設定に係る表示領域とを設けている。処理状況に係る表示領域には、損券を３枚排出済みであり、一万円札の結束紙幣を３束投出済であり、内部に一万円札を８２枚集積した状態であることを示している。また、五千円札の結束紙幣を１束投出済であり、内部に五千円札を１９枚集積した状態であることを示している。さらに、千円札の結束紙幣を７束投出済であり、内部に千円札を２１枚集積した状態であることを示している。
【００２７】
表示操作部１１の設定に係る表示領域には、仕向け先「Ａ銀行」の選択ボタンと仕向け先「Ｂスーパー」の選択ボタンとが表示されている。また、図１では、仕向け先「Ａ銀行」が選択され、Ａ銀行用のパターンの内容が表示されている。具体的には、一万円札の汚損レベルの閾値が「６」、五千円札の汚損レベルの閾値が「６」、千円札の汚損レベルの閾値が「６」、欠損レベルの閾値が「６」、厚損レベルの閾値が「６」である状態を示している。なお、本実施例では、汚損レベルの閾値を金種別に設定し、欠損レベル及び厚損レベルの閾値を金種に関わらず設定する場合を示すが、汚損レベルを金種に関わらず設定してもよいし、欠損レベルや厚損レベルを金種別に設定してもよい。
【００２８】
図１に示した操作画面において、操作者が仕向け先の名称に関連付けられたパターンを選択すると（Ｓ１）、紙幣処理装置１０は、識別部１０５の閾値を変更する（Ｓ２）。このため、その後に投入された紙幣は、変更後の閾値を適用して分類され、仕向け先の要求レベルに合致した結束紙幣が投出されることになる。また、選択中の閾値の組合せは、設定に係る表示領域に表示されているため、操作者はその時点の設定を適宜確認することができる。
【００２９】
なお、選択された仕向け先の閾値の組み合わせの表示は、適宜設定可能である。例えば、作業時に選択された仕向け先の名称と閾値の組み合わせとを常に表示する設定としてもよいし、作業時には選択された仕向け先の名称のみを表示して所定の操作で閾値の組み合わせを追加表示する設定としてもよい。また、仕向け先の選択を行ったときに閾値の組み合わせを表示し、所定時間経過後に閾値の組み合わせの表示を消去してもよい。
【００３０】
このように、紙幣処理装置１０は、複数の仕向け先に対応する複数の紙幣識別に係る情報を記憶し、表示操作部１１により仕向け先の指定を受け付け、仕向け先に対応する紙幣識別に係る情報に基づいて識別対象となる紙幣を識別するので、紙幣の正損レベルの設定に係る操作負担を軽減することができる。
【００３１】
＜紙幣処理装置の構成＞
次に、紙幣処理装置１０の構成について説明する。図２は、紙幣処理装置１０の外観構成を示す外観構成図である。図２に示すように、紙幣処理装置１０は、最上部に表示操作部１１を有し、前面上部に繰出分類集積部１００を有し、前面下部に紙幣結束部２００を有し、背面に昇降搬送部３００を有する。
【００３２】
また、繰出分類集積部１００には、端数紙幣返却部１３０、外部集積部１２１、外部集積部１２２、リジェクト紙幣集積部１０６及び入金口１０１が設けられ、紙幣結束部２００には結束紙幣投出口２０９が設けられている。
【００３３】
図３は、紙幣処理装置１０の内部の構成を示す内部構成図である。図３に示すように、繰出分類集積部１００は、入金口１０１に投入された紙幣を繰り出しローラ１０２，１０３により繰り出し、搬送路１０４に沿って搬送する。
【００３４】
搬送路１０４の途中には識別部１０５が設けられ、識別部１０５により紙幣の金種、正損、真偽、表裏を識別することができる。なお、識別部１０５は同じ金種でデザインが相違する新旧券も識別可能である。
【００３５】
搬送路１０４は識別部１０５の先で分岐しており、識別部１０５による識別の結果に応じて搬送先が切り替えられる。具体的には、紙幣のうち、識別不能であった紙幣や偽券と識別された紙幣は、リジェクト紙幣としてリジェクト紙幣集積部１０６に搬送され、集積される。
【００３６】
また、識別の結果、結束の対象ではない紙幣は、外部集積部１２１又は外部集積部１２２に搬送され、集積される。具体的には、汚損レベル、欠損レベル及び厚損レベルのいずれかが閾値に満たない紙幣である損券は、結束対象外の紙幣として金種混合で外部集積部１２１又は外部集積部１２２に搬送される。また、旧券や二千円札などを結束対象外の紙幣として外部集積部１２１又は外部集積部１２２に搬送することも可能である。
【００３７】
そして、結束対象の紙幣であり、かつ汚損レベル、欠損レベル及び厚損レベルの全てが閾値以上である紙幣は、正券として集積部１１１〜１１５のいずれかに搬送され、集積される。
【００３８】
ここで、正券については、金種の識別結果に応じて集積部１１１〜１１５のいずれに搬送するかが切り替えられる。その結果、集積部１１１〜１１５には、それぞれ単一金種の紙幣を集積することができ、同一の金種の紙幣からなる結束紙幣を形成することが可能となる。
【００３９】
さらに、表裏反転部１０７は、識別部１０５による表裏の反転結果に基づき、必要に応じて紙幣の表示を反転させた上で集積部１１１〜１１５に搬送する。このため、集積部１１１〜１１５に集積される紙幣は、その表裏も揃えられることになる。
【００４０】
なお、紙幣の搬送先は、適宜設定を行うことができる。例えば、汚損レベル、欠損レベル、厚損レベルのいずれかが閾値に満たない損券をリジェクト紙幣としてリジェクト紙幣集積部１０６に集積するよう設定することも可能である。
【００４１】
また、損券を結束対象とする設定も可能である。具体的には、「結束対象の券種であれば正損混合で集積部１１１〜１１５に集積し、混合で結束する」、「正券、損券別に集積部１１１〜１１５にそれぞれ集積して正券、損券別に結束する」などの設定を行うことができるが、本実施例では「正券のみ集積部１１１〜１１５に集積して結束し、損券は外部集積部１２１〜１２２に、結束対象外の金種の紙幣と混合で集積する」設定を用いる場合を例に説明を行うこととする。
【００４２】
集積部１１１〜１１５はそれぞれ集積用のステージ１１１ａ〜１１５ａを有しており、これらは図示しない駆動手段で昇降可能である。図３においては、集積部１１１〜１１５は集積可能な状態として図示されている。すなわち、上側約２／３に設けられた壁部材１１１ｂ〜１１５ｂの下端位置にステージ１１１ａ〜１１５ａが位置しているため、搬送された紙幣は壁部材１１１ｂ〜１１５ｂに当たって停止し、集積される。この際、紙幣の飛び出しを防止し、安定な集積を可能とするために、集積量に応じて回動可能な押さえ板１１１ｃ〜１１５ｃが設けられている。なお、ステージ１１１ａ〜１１５ａ及び壁部材１１１ｂ〜１１５ｂには後述する昇降搬送部のハンドが自由に通過できる切り欠きが形成されている。
【００４３】
端数紙幣返却部１３０は、集積部１１１〜１１５に集積されたものの、規定枚数に達しなかった端数紙幣を返却する場合に用いられる。かかる端数紙幣は、まず、端数紙幣返却トレイ１３１に収納される。その後、端数紙幣返却トレイ１３１の下面に設けられた突き当て部材１３２の先端部１３２ａが背面より押されることにより、端数紙幣返却トレイ１３１が前進し、前面に設けられたシャッタ１３３が開いて一点鎖線で示された位置まで進み、端数紙幣の取り出しが可能となる。
【００４４】
繰出分類集積部１００の下に設けられた紙幣結束部２００は、集積部１１１〜１１５において規定枚数（通常１００枚）に達した正券に紙の帯を巻回させ帯封を行う。具体的には、集積部１１１〜１１５において規定枚数に達した正券は後述する昇降搬送部３００によりセット部２０１に移送され、挟持される。
【００４５】
そして、挟持された紙幣の所定箇所に回転機構２０２が帯封テープを巻回させ、帯封テープ集積部２０３より取り出された帯封テープ２０４の先端をテープ止め２０５で止め、回転させることにより結束紙幣を得ることができる。また、結束後、テープの先端を切断するためのカッタ２０６及びその先端部を熱接着するためのヒータ２０７も設けられている。
【００４６】
帯封された結束紙幣はベルト式の搬送機構２０８で結束紙幣投出口２０９に投出される。この搬送途中には金種、日時、連続番号等を帯封の上に印字する印字部２１０、処理を行った金融機関印を押印する押印部２１１が設けられている。また、印字内容としては結束紙幣に適用された正損レベルを帯封に印字するようになっていてもよい。また、結束紙幣の配送先に加えパターン名称を帯封に印字するようにしてもよい。その後、結束紙幣は、ベルト式の搬送機構２０８により結束紙幣投出口２０９に搬送されるが、結束紙幣投出口２０９は、金種別に左、中、右の方向に振り分けができる振り分け機構を備えている。この振分け機構の詳細については後述する。
【００４７】
昇降搬送部３００は、集積部１１１〜１１５と紙幣結束部２００又は端数紙幣返却部１３０との間で結束対象紙幣又は端数紙幣を搬送する動作を行う。具体的には、昇降搬送部３００は、装置の下端から上端に到る垂直に設置されたガイド軸３０１、このガイド軸３０１に係合しつつ上下移動の可能な昇降ユニット３１０、この昇降ユニット３１０を昇降させるための駆動ベルト３０２を備える。
【００４８】
昇降ユニット３１０はベルト機構３１１による前進後退可能なブロック３１２を有しており、このブロック３１２には固定の下ハンド３１３と、ベルト３１６により軸３１５に沿って上下移動する上ハンド３１４を有している。下ハンド３１３と上ハンド３１４は、集積部１１１〜１１５に集積された結束対象紙幣あるいは端数紙幣を挟んで取り出し、紙幣結束部２００あるいは端数紙幣返却部１３０に移送する。
【００４９】
紙幣処理装置１０には装置全体の動作を制御するための制御部１４が設けられている。図３においては、制御部１４は便宜上紙幣結束部２００の下に配置しているが、設計において確保された空間であれば、装置内のあらゆる場所に設置することができる。
【００５０】
図４は、紙幣処理装置１０の機能構成を示す機能ブロック図である。図４に示すように、紙幣処理装置１０は、繰出分類集積部１００、紙幣結束部２００、昇降搬送部３００、表示操作部１１、通信部１２、記憶部１３及び制御部１４を有する。
【００５１】
表示操作部１１は、タッチパネル式の液晶ディスプレイ等であり、各種情報及び操作ボタンの表示や操作ボタンによる入力操作の受付を行うデバイスである。通信部１２は、現金センタの上位装置などとのデータ通信を行なうためのインタフェース部である。
【００５２】
記憶部１３は、ハードディスク装置や不揮発性メモリ等からなる記憶デバイスであり、パターン設定データ１３ａ及び計数処理データ１３ｂを記憶する。パターン設定データ１３ａは、仕向け先を特定するパターン名称に、正損レベルの各項目における閾値の組み合せをパターンとして関連付けたデータである。計数処理データ１３ｂは、紙幣の処理状況をリアルタイムに示すデータである。
【００５３】
制御部１４は、紙幣処理装置１０の全体を制御する制御部であり、表示制御部１４ａ、認証処理部１４ｂ、パターン登録処理部１４ｃ、パターン選択受付部１４ｄ、紙幣収納制御部１４ｅ、紙幣結束制御部１４ｆ及び結束紙幣収納制御部１４ｇを有する。実際には、これらの機能部に対応するプログラムを図示しないＲＯＭや不揮発性メモリに記憶しておき、これらのプログラムをＣＰＵ（Central Processing Unit）にロードして実行することにより、表示制御部１４ａ、認証処理部１４ｂ、パターン登録処理部１４ｃ、パターン選択受付部１４ｄ、紙幣収納制御部１４ｅ、紙幣結束制御部１４ｆ及び結束紙幣収納制御部１４ｇにそれぞれ対応するプロセスを実行させることになる。
【００５４】
表示制御部１４ａは、表示操作部１１に対する各種情報や操作ボタンの表示制御を行う処理部である。表示制御部１４ａは、待機画面や処理中の画面において、処理状況に係る表示制御を行うとともに、複数の仕向け先の選択枠を選択ボタンとして表示制御する。また、選択中の仕向け先に対応する設定の内容も合わせて表示制御する。さらに、表示制御部１４ａは、画面の遷移制御や、パターンの登録に係る操作画面の表示などを行うことができる。
【００５５】
認証処理部１４ｂは、操作者の権限を認証する処理部である。仕向け先の要望に合わせて正損レベルの各項目における閾値の組み合せパターンを登録する作業については、設定のミスや誤操作による設定変更を防止することが望まれる。そのため、認証処理部１４ｂによる認証を条件とし、所定の管理者権限を有する操作者にのみ選択的に許可することとしているのである。認証方法としては、任意の方法を用いることができる。例えば、パスワードの入力やＩＤカードの読み取り等による認証を用いてもよい。また、顔認証、静脈認証、指紋認証などの生体認証を用いてもよい。なお、登録された仕向け先の選択については、認証を不要としているが、仕向け先の選択時にも認証を行なう構成としてもよい。
【００５６】
パターン登録処理部１４ｃは、認証処理部１４ｂによる認証の成功、すなわち、認証処理部１４ｂにより操作者が所定の管理者権限を有すると認証されたことを条件に、仕向け先を特定するパターン名称の入力と、正損レベルの各項目における閾値の入力とを受け付けて、入力内容をパターン設定データ１３ａに登録する処理を行う。また、登録内容の変更や削除についても同様に、操作者の認証を条件として実行することができる。
【００５７】
パターン選択受付部１４ｄは、仕向け先の指定操作を受け付けて、指定された仕向け先に関連付けられた閾値の組み合わせパターンをパターン設定データ１３ａから読み出し、識別部１０５の閾値を変更する処理部である。具体的には、パターン選択受付部１４ｄは、表示制御部１４ａにより表示操作部１１に表示された選択枠を選択する操作を仕向け先の指定操作として受け付けることになる。
【００５８】
なお、紙幣の処理中に仕向け先の指定操作を受け付けた場合には、集積部１１１〜１１５に集積された紙幣を端数紙幣返却部１３０に移動させるなどの処理を行って、内部の紙幣を全て排出した上で閾値の変更を行う。
【００５９】
紙幣収納制御部１４ｅは、繰出分類集積部１００の動作を制御するとともに、その動作状態を取得し、計数処理データ１３ｂを更新する処理を行う。同様に、紙幣結束制御部１４ｆは、紙幣結束部２００の動作を制御するとともに、その動作状態を取得し、計数処理データ１３ｂを更新する処理を行う。更新された計数処理データ１３ｂは、表示制御部１４ａにより表示操作部１１に表示制御されるため、表示操作部１１には処理状況がリアルタイムで表示されることになる
【００６０】
結束紙幣収納制御部１４ｇは、紙幣結束部２００により結束された結束紙幣が結束紙幣投出口２０９から投出される場合に、結束紙幣投出口２０９に設けられた少なくとも２つの突出部の状態を制御することで、結束紙幣の振り分けを行う。この結束紙幣の振分けについては後述する。
【００６１】
次に、図４に示した記憶部１３に記憶されるデータの一例について説明する。図５は、図４に示した記憶部１３に記憶されるデータの一例を説明するための説明図である。図５（ａ）に示すように、パターン設定データ１３ａは、仕向け先を特定するパターン名称に、正損レベルの各項目における閾値の組み合せをパターンとして関連付けたデータである。
【００６２】
パターン名称としては、仕向け先の名称や略称など、任意の名称を用いることができる。また、初期値もパターン名称の一種として用いられる。正規レベルの項目としては、一万円札の汚損レベルの閾値を示す「汚損（万）」、五千円札の汚損レベルの閾値を示す「汚損（五千）」、千円札の汚損レベルの閾値を示す「汚損（千）」、厚損レベルの閾値を示す「厚損」、欠損レベルの閾値を示す「欠損」を用いている。
【００６３】
具体的には、図５（ａ）では、パターン名称「初期値」に対し、汚損（万）の値「４」と、汚損（五千）の値「４」と、汚損（千）の値「４」と、厚損の値「４」と、欠損の値「４」とを関連付けた状態を示している。
【００６４】
また、図５（ａ）では、パターン名称「Ａ銀行」に対し、汚損（万）の値「６」と、汚損（五千）の値「６」と、汚損（千）の値「６」と、厚損の値「６」と、欠損の値「６」とを関連付けた状態を示している。同様に、パターン名称「Ｂスーパー」に対し、汚損（万）の値「２」と、汚損（五千）の値「３」と、汚損（千）の値「３」と、厚損の値「３」と、欠損の値「５」とを関連付けた状態を示している。
【００６５】
図５（ｂ）に示す計数処理データは、集積部毎に、集積される紙幣の種別とその時点での集積枚数を関連付けている。さらに、結束対象の紙幣を集積する集積部１１１〜１１５については、投出済の結束束数を関連付けている。
【００６６】
具体的には、外部集積部１２１に紙幣種別「混合」で「３」枚の紙幣が集積されている状態を示している。また、外部集積部１２２には紙幣種別「混合」で紙幣が集積されるが、現時点では紙幣が集積されていない（「０」枚）であることを示している。また、リジェクト紙幣集積部１０６には、紙幣種別「混合」で「１」枚の紙幣が集積されていることを示している。
【００６７】
さらに、集積部１１１には、紙幣種別「万」、すなわち一万円札の正券が集積され、「３」束の結束紙幣を投出済であり、集積枚数が「８２」枚である状態を示している。また、集積部１１２には、紙幣種別「五千」、すなわち五千円札の正券が集積され、「１」束の結束紙幣を投出済であり、集積枚数が「１９」枚である状態を示している。同様に、集積部１１３には、紙幣種別「千」、すなわち千札の正券が集積され、「７」束の結束紙幣を投出済であり、集積枚数が「２１」枚である状態を示している。
【００６８】
なお、集積部１１４及び集積部１１５は、この時点で紙幣の集積が行われていないため、紙幣種別は「（空）」となり、結束束数と集積枚数はともに「０」となっている。
【００６９】
次に、表示操作部１１の表示画面の具体例について説明する。図６は、処理中における表示操作部１１の表示画面の具体例を説明する説明図である。図６に示すように、処理中における表示操作部１１の表示画面には、処理状況に係る表示領域と設定に係る表示領域とが設けられる。
【００７０】
処理状況に係る表示領域には、各集積部における処理状況と、結束対象の紙幣の合計金額が示される。図６では、外部集積部１２１に紙幣種別「混合」で「３」枚の紙幣が集積され、外部集積部１２２には紙幣種別「混合」で紙幣が集積されるが、現時点での紙幣が「０」枚であることが示されている。また、リジェクト紙幣集積部１０６には、紙幣種別「混合」で「１」枚の紙幣が集積されていることが示されている。
【００７１】
さらに、一万円札の結束紙幣を３束投出済であり、集積部１１１に一万円札を８２枚集積した状態であることが示されている。また、五千円札の結束紙幣を１束投出済であり、集積部１１２に五千円札を１９枚集積した状態であることが示されている。さらに、千円札の結束紙幣を７束投出済であり、集積部１１３に千円札を２１枚集積した状態であることが示されている。そして、集積部１１４及び集積部１１５は、現時点で使用されておらず、結束紙幣の投出数と内部の集積枚数が「０」であることが示されている。また、結束対象の紙幣の合計金額は「５，１３６，０００円」となっている。
【００７２】
設定に係る表示領域には、仕向け先「Ａ銀行」の選択ボタンと仕向け先「Ｂスーパー」の選択ボタンとが表示されている。また、仕向け先「Ａ銀行」が選択され、Ａ銀行用のパターンの内容が表示されている。具体的には、一万円札の汚損レベルの閾値が「６」、五千円札の汚損レベルの閾値が「６」、千円札の汚損レベルの閾値が「６」、欠損レベルの閾値が「６」、厚損レベルの閾値が「６」であることが示されている。
【００７３】
図７は、登録時における表示操作部１１の表示画面の具体例を説明する説明図である。図７に示すように、登録時における表示操作部１１の表示画面には、パターン名称の入力領域と、各設定項目の選択ボタンが表示される。
【００７４】
パターン名称の入力領域には、例えばソフトウェアキーボードなどを用いて任意の文字列を入力することができ、仕向け先の名称や略称など、仕向け先を特定する名称が入力される。なお、入力が行われない場合には、「パターン１」などの名称を自動で設定してもよい。
【００７５】
各設定項目に対しては、それぞれ０〜７の検知レベルに対応する選択ボタンが表示され、項目ごとにいずれかの値を選択することができる。検知レベル「０」は、その項目を識別に用いないことを示す。検知レベル１〜７は、値が大きいほど条件が厳しいことを示す。例えば、汚損について検知レベル「１」を閾値として選択したならば、汚損の度合が比較的高くとも正券として識別される。一方、検知レベル「７」を閾値として選択したならば、新券と同程度の状態の紙幣のみが正券として識別されることになる。
【００７６】
図７では、パターン名称として「Ｂスーパー」が入力され、一万円札の汚損の検知レベルが「２」、五千円札の汚損の検知レベルが「３」、千円札の汚損の検知レベルが「３」、厚損の検知レベルが「３」、欠損の検知レベルが「５」に設定された状態を示している。
【００７７】
次に、結束紙幣の投出時における振分けについて説明する。図８は、結束紙幣の投出時における振分けについての説明図である。図８（ａ）に示すように結束紙幣投出口２０９の下方には、結束紙幣を収納する複数の結束紙幣収納箱４００が設置される。なお、ここでは複数の結束紙幣収納箱４００を設置する場合を例に説明を行うが、一つの結束紙幣収納箱の内部を仕切って複数の結束紙幣収納箱として用いてもよい。
【００７８】
また、図８（ｂ）に示すように、複数の結束紙幣収納箱４００には、それぞれ金種が割り当てられている。図８では紙幣処理装置１０に向かって右側が一万円札の結束紙幣用の結束紙幣収納箱４００であり、向かって左側が五千円札の結束紙幣用の結束紙幣収納箱４００である。そして、一万円札の結束紙幣用の結束紙幣収納箱４００と五千円札の結束紙幣用の結束紙幣収納箱４００との間に千円札の結束紙幣用の結束紙幣収納箱４００が設置されている。さらに、複数の結束紙幣収納箱４００は、それぞれの結束紙幣の落下位置近傍が広くなるよう、各々台形状に構成されている。
【００７９】
紙幣処理装置１０の結束紙幣収納制御部１４ｇは、結束紙幣が結束紙幣投出口２０９から投出される場合に、結束紙幣の金種に応じて投出方向を制御し、金種に応じた結束紙幣収納箱４００に結束紙幣を収納する。なお、結束紙幣の金種による投出方向は、設定により変更可能である。また、結束紙幣の金種による投出方向の設定を行わない場合には、金種混合で同一方向に結束紙幣が投出され、収納されることになる。
【００８０】
図９は、結束紙幣の振分けの詳細についての説明図である。まず、図９（ａ）に示すように、結束紙幣投出口２０９の底面である結束紙幣投出口底板２０９ａは、全体として手前が下となる傾斜を有する。さらに、結束紙幣投出口底板２０９ａは、紙幣処理装置１０に向かって左側の左案内部と、向かって右側の右案内部と、その中間に設けられた中央案内部とに３分割されている。
【００８１】
左側案内部は、手前が下となる傾斜に加え、向かって左側が下となる傾斜を有するとともに、選別ピン２０９ｂが突出可能な突出口を有する。同様に、右側案内部は、手前が下となる傾斜に加え、向かって右側が下となる傾斜を有するとともに、選別ピン２０９ｃが突出可能な突出口を有する。
【００８２】
中央案内部は、手前が下となる傾斜を有するが、左右の傾斜は設けられていない。また、中央案内部の幅は、結束紙幣の長手よりも短い。左側案内部の突出口は、選別ピン２０９ｂが突出した場合に、中央案内部を滑落する結束紙幣と選別ピン２０９ｂとが接触する位置に設けられている。同様に、右側案内部の突出口は、選別ピン２０９ｃが突出した場合に、中央案内部を滑落する結束紙幣と選別ピン２０９ｃとが接触する位置に設けられている。
【００８３】
選別ピン２０９ｂ及び選別ピン２０９ｃは、ゴムなどの素材を用い、結束紙幣との接触時に結束紙幣に損傷を与えることを防止する。もしくは、接触による衝撃を吸収する材質の当て板を衝突面に用いて金属性のピンを用いてもよい。
【００８４】
選別ピン２０９ｂ及び選別ピン２０９ｃは、電磁ソレノイド等で駆動され、突出口から突出した状態と、突出口に収納した状態とを切り替えることができる。結束紙幣収納制御部１４ｇは、結束紙幣が結束紙幣投出口２０９から投出される場合に、突出部として機能する選別ピン２０９ｂ及び選別ピン２０９ｃの状態を制御することで、結束紙幣の投出方向を振り分ける。
【００８５】
例えば、図９（ｂ）に示すように、結束紙幣の投出時に選別ピン２０９ｃを突出させ、選別ピン２０９ｂを収納すると、中央案内部を滑落した結束紙幣は選別ピン２０９ｃに接触する。この接触により、結束紙幣は図９（ｂ）に示すように左側案内部を滑落し、向かって左側に設置された結束紙幣収納箱４００に収納されることになる。
【００８６】
同様に、結束紙幣の投出時に選別ピン２０９ｃを収納し、選別ピン２０９ｂを突出させると、中央案内部を滑落した結束紙幣は選別ピン２０９ｂに接触して右側案内部を滑落し、向かって右側に設置された結束紙幣収納箱４００に収納されることになる。
【００８７】
そして、結束紙幣の投出時に選別ピン２０９ｂ及び選別ピン２０９ｃを収納すると、中央案内部を滑落した結束紙幣は、そのまま中央案内部を滑落して中央に設置された結束紙幣収納箱４００に収納されることになる。
【００８８】
図１０は、結束紙幣投出口２０９の詳細についての説明図である。図１０（ａ）の上面図に示すように、選別ピン２０９ｂ及び選別ピン２０９ｃは、結束紙幣と接触する結束紙幣接触面に角度を持たせている。結束紙幣接触面に設けられた角度は、接触時に結束紙幣に与える力の方向を制御し、結束紙幣の投出方向を安定させるとともに、結束紙幣の損傷を抑える効果を奏する。また、図１０（ｂ）の断面図に示すように、突出口の下側には面取り等の加工を施し、結束紙幣の引っかかりを防いでいる。
【００８９】
＜紙幣処理装置１０の処理動作＞
次に、紙幣処理装置１０の処理動作について説明する。図１１は、紙幣処理装置１０による登録時の処理手順を示すフローチャートである。まず、表示操作部１１がパターンの登録操作を受け付けると（ステップＳ１０１）、認証処理部１４ｂが操作者の権限を認証する（ステップＳ１０２）。この権限の認証に失敗したならば（ステップＳ１０３；Ｎｏ）、表示制御部１４ａは、認証失敗を表示操作部１１に表示させ（ステップＳ１０９）、処理を終了する。
【００９０】
権限の認証に成功したならば（ステップＳ１０３；Ｙｅｓ）、表示制御部１４ａは、パターンの登録に係る操作画面を表示操作部１１に表示制御する（ステップＳ１０４）。そして、パターン登録処理部１４ｃがパターン名称の入力を受け付け（ステップＳ１０５）、さらに正損レベルの各項目における閾値の設定入力を受け付けて（ステップＳ１０６）、入力内容をパターン設定データ１３ａに登録する（ステップＳ１０７）。その後、表示制御部１４ａは、表示操作部１１に待機画面を表示させて（ステップＳ１０８）、処理を終了する。
【００９１】
図１２は、紙幣処理装置１０による紙幣の処理に係る処理手順を示すフローチャートである。まず、パターン選択受付部１４ｄは、仕向け先の指定操作を受け付けたか否かを判定する（ステップＳ２０１）。仕向け先の指定操作を受け付けたならば（ステップＳ２０１；Ｙｅｓ）、パターン選択受付部１４ｄは、指定された仕向け先に関連付けられた閾値の組み合わせパターンをパターン設定データ１３ａから読み出し、識別部１０５の閾値を変更する（ステップＳ２０２）。
【００９２】
ステップＳ２０２の終了後、若しくは仕向け先の指定操作を受け付けていない場合（ステップＳ２０１；Ｎｏ）、紙幣収納制御部１４ｅは、入金口１０１から紙幣を１枚繰出し（ステップＳ２０３）、識別部１０５による紙幣の識別を行う（ステップＳ２０４）。
【００９３】
識別の結果、識別不能の紙幣や偽券などのリジェクト紙幣であったならば、（ステップＳ２０５；Ｙｅｓ）、紙幣収納制御部１４ｅは、紙幣をリジェクト紙幣集積部１０６に搬送する（ステップＳ２１４）。また、リジェクト紙幣ではないが（ステップＳ２０５；Ｎｏ）、結束対象外の紙幣であったならば（ステップＳ２０６；Ｙｅｓ）、紙幣収納制御部１４ｅは、紙幣を外部集積部１２１又は外部集積部１２２に搬送する（ステップＳ２１５）。ここで、正損レベルが閾値に満たない損券は、結束対象外の紙幣として外部集積部１２１又は外部集積部１２２に搬送されることになる。
【００９４】
識別の結果、結束対象の正券であるならば（ステップＳ２０６；Ｎｏ）、紙幣収納制御部１４ｅは、紙幣を金種に応じた集積部１１１〜１１５に搬送する（ステップＳ２０７）。
【００９５】
ステップＳ２０７の後、紙幣結束制御部１４ｆは、集積部１１１〜１１５に集積された紙幣が規定枚数に到達したか否かを判定する（ステップＳ２０８）。集積された紙幣が規定枚数に到達したならば（ステップＳ２０８；Ｙｅｓ）、紙幣結束制御部１４ｆは、規定枚数に到達した紙幣を結束させる（ステップＳ２０９）。また、結束紙幣収納制御部１４ｇは、結束された紙幣の金種に応じて選別ピン２０９ｂ及び選別ピン２０９ｃの状態を切り替えて、結束紙幣投出口２０９における結束紙幣の振分を制御する（ステップＳ２１０）。その後、紙幣結束制御部１４ｆは、結束紙幣投出口２０９に結束紙幣を投出する（ステップＳ２１１）。
【００９６】
ステップＳ２１１、ステップＳ２１５又はステップＳ２１４の後、紙幣収納制御部１４ｅは、計数処理データ１３ｂに示される処理状況を更新する（ステップＳ２１２）。ステップＳ２１２の後、紙幣収納制御部１４ｅは、入金口１０１から全ての紙幣を繰り出したか否かを判定する（ステップＳ２１３）。判定の結果、入金口１０１に紙幣が残っている場合（ステップＳ２１３；Ｎｏ）、ステップＳ２０３に移行し、入金口１０１から紙幣を繰り出す。そして、入金口１０１から全ての紙幣を繰出し済となった場合に（ステップＳ２１３；Ｙｅｓ）、集積部１１１〜１１５に集積されたものの、規定枚数に達しなかった端数紙幣を端数紙幣返却部１３０に搬送することで返却し（ステップＳ２１４）、処理を終了する。
【００９７】
上述してきたように、本実施例では、複数の仕向け先に対応する複数の紙幣識別に係る情報をパターン設定データ１３ａとして記憶部１３に記憶し、パターン選択受付部１４ｄが仕向け先の指定を受け付けた場合に、受け付けた仕向け先に対応する紙幣識別に係る情報に基づいて識別部１０５による紙幣の識別を行うよう構成したので、紙幣の正損レベルの設定に係る操作負担を軽減することが可能となる。
【００９８】
また、本実施例では、表示操作部１１に複数の仕向け先の選択枠を表示制御し、選択枠の選択操作を仕向け先の指定操作として受け付けるので、簡易な操作で閾値を適切に切り替えることができる。
【００９９】
また、本実施例では、金種毎の紙幣の汚れの状態を示す汚損レベル、紙幣の摩耗や異物の付着有無の状態を示す厚損レベル、並びに紙幣の欠落や破れの状態を示す欠損レベルを正損レベルの項目として用いることで、紙幣の正損レベルを詳細に識別することができる。
【０１００】
また、本実施例では、仕向け先の指定を受け付けた場合に、仕向け先に対応する閾値の組み合わせを表示操作部１１に表示制御するよう構成したので、操作者はその時点の設定を適宜確認することができる。
【０１０１】
また、本実施例では、認証処理部１４ｂにより所定の管理者権限を有すると認証されたことを条件として、パターン設定データ１３ａの更新を許可するよう構成したので、設定のミスや誤操作による設定変更を防止することができる。
【０１０２】
また、本実施例では、正券を金種別に結束して結束紙幣投出口２０９から投出する場合に、結束紙幣投出口２０９に設けられた少なくとも２つの突出部の状態を制御することで、結束紙幣の振り分けを行うよう構成したので、結束紙幣を適正な結束紙幣収納箱４００に収納することができる。
【０１０３】
なお、本実施例では、一万円札、五千円札及び千円札を結束対象とする構成を例に説明を行ったが、旧券と新券を区別して結束したり、二千円札を結束対象とするなど、結束対象となる紙幣は任意に設定可能である。同様に、結束対象とする金種も任意に設定可能である。また、かかる設定は仕向け先毎に異ならせることもできる。仕向け先毎に結束対象とする紙幣などの設定を異ならせる場合には、仕向け先用の設定をパターン設定データ１３ａに登録すればよい。同様に、どの集積部にどの紙幣を集積するかなども適宜設定可能である。
【０１０４】
また、本実施例では、権限の認証を一括して行う構成を説明したが、仕向け先毎に個別に認証を行ってもよい。この場合には、操作者の認証用の情報をパターン設定データ１３ａに登録すればよい。また、認証のタイミングは適宜変更可能であり、例えばパターン名称の入力後に認証を行ったり、登録の実行前に認証を行う構成としてもよい。
【０１０５】
また、現金センタに複数の紙幣処理装置１０を設置する場合には、複数の紙幣処理装置１０の間でパターン設定データ１３ａの同期をとってもよい。パターン設定データ１３ａの同期は、パターン設定データ１３ａの更新を行った紙幣処理装置１０が更新後のパターン設定データ１３ａを他の紙幣処理装置１０に送信することで実現できる。また、上位装置が記憶するパターン設定データ１３ａを複数の紙幣処理装置１０が共用する構成としてもよい。また、上位装置から紙幣処理装置１０のパターン設定データ１３ａを変更できるように構成してもよい
【０１０６】
また、本実施例では、仕向け先の指定により閾値が確定する構成を例に説明を行ったが、処理中の紙幣の正損レベルに応じて閾値を変動させてもよい。例えば、処理中の紙幣の正損レベルが高い場合には、閾値よりも高い正損レベルの紙幣を集積して結束紙幣とすることができる。
【０１０７】
また、処理中の紙幣の正損レベルを適宜表示する構成としてもよい。かかる構成により処理中の紙幣の正損レベルと使用中の閾値とを比較できれば、操作者は正損レベルを上げても必要な数の結束紙幣が得られるかなどの検討を行うことができる。
【０１０８】
また、金種別に結束紙幣の必要数を管理し、必要数の結束紙幣を投出した場合に処理を終了するよう構成してもよい。必要数は、紙幣処理装置１０が管理してもよいし、他の装置から取得してもよい。また、必要数の結束紙幣を投出した場合に閾値を初期値に戻したり、仕向け先の選択を促す報知を行うよう構成してもよい。
【０１０９】
また、紙幣を処理中に他の仕向け先用の結束紙幣の形成を割り込ませることができるよう構成してもよい。例えば、Ｂスーパー向けの結束紙幣を形成中に、Ａ銀行向けの結束紙幣が緊急に必要となった場合には、Ｂスーパー向けの結束紙幣を形成する処理を中断してＡ銀行用の閾値に変更し、Ａ銀行向けの結束紙幣を形成した後にＢスーパー用の閾値に戻すことで、割込を実現できる。
【０１１０】
なお、中断時には、集積部１１１〜１１５に集積された紙幣を端数紙幣返却部１３０に移動させるなどの処理を行って、内部の紙幣を全て排出した上で閾値の変更を行うことが望ましい。
【０１１１】
また、図示した各構成は機能概略的なものであり、必ずしも物理的に図示の構成をされていることを要しない。すなわち、装置や機能の分散・統合の形態は図示のものに限られず、その全部または一部を各種の負荷や使用状況などに応じて、任意の単位で機能的または物理的に分散・統合して構成することができる。
【産業上の利用可能性】
【０１１２】
以上のように、本発明に係る紙幣処理装置及び紙幣処理方法は、紙幣の正損レベルの設定に係る操作負担を軽減することに適している。
【符号の説明】
【０１１３】
１０  紙幣処理装置
１１  表示操作部
１２  通信部
１３  記憶部
１３ａ  パターン設定データ
１３ｂ  計数処理データ
１４  制御部
１４ａ  表示制御部
１４ｂ  認証処理部
１４ｃ  パターン登録処理部
１４ｄ  パターン選択受付部
１４ｅ  紙幣収納制御部
１４ｆ  紙幣結束制御部
１４ｇ  結束紙幣収納制御部
１００  繰出分類集積部
１０１  入金口
１０５  識別部
１０６  リジェクト紙幣集積部
１１１  集積部
１１２  集積部
１１３  集積部
１１４  集積部
１１５  集積部
１２１  外部集積部
１２２  外部集積部
１３０  端数紙幣返却部
２００  紙幣結束部
２０９  結束紙幣投出口
２０９ａ  結束紙幣投出底板
２０９ｂ  左側選別ピン
２０９ｃ  右側選別ピン
３００  昇降搬送部
４００  結束紙幣収納箱
【図１】
2018169671.tif 000003
【図２】
2018169671.tif 000004
【図３】
2018169671.tif 000005
【図４】
2018169671.tif 000006
【図５】
2018169671.tif 000007
【図６】
2018169671.tif 000008
【図７】
2018169671.tif 000009
【図８】
2018169671.tif 000010
【図９】
2018169671.tif 000011
【図１０】
2018169671.tif 000012
【図１１】
2018169671.tif 000013
【図１２】
2018169671.tif 000014